(57)【要約】      （修正有）【課題】回転翼を内蔵し、身体を空冷することができるリュックサックを提供する。【解決手段】前面部と、背面部２０と、背面部に接続する一対の肩ストラップ３２、４２とを備えたリュックサック１０であって、前面部と背面部との間に仕切り部が設けられ、リュックサックの内部空間が仕切り部により２つに分けられており、前面部の少なくとも一部、背面部の少なくとも一部、及び、仕切り部の少なくとも一部がメッシュで形成されており、リュックサックの外部にある大気が、前面部から仕切り部を経由して、背面部に流れることができる。背面部と仕切り部とがポケットを形成しており、このポケット内部に回転翼が配置されている。【選択図】図５
0003231665.tif 000002
【実用新案登録請求の範囲】
【請求項１】
前面部と、背面部と、前記背面部に接続する一対の肩ストラップとを備えたリュックサックにおいて、
前記前面部と前記背面部との間に仕切り部が設けられ、前記リュックサックの内部空間が仕切り部により２つに分けられており、
前記前面部の少なくとも一部、前記背面部の少なくとも一部、及び、前記仕切り部の少なくとも一部がメッシュで形成されており、リュックサックの外部にある大気が、前記前面部から前記仕切り部を経由して、前記背面部に流れることができることを特徴とするリュックサック。
【請求項２】
前記背面部と前記仕切り部とがポケットを形成しており、このポケット内部に回転翼が配置されていることを特徴とする請求項１に記載のリュックサック。
【請求項３】
前記回転翼を内蔵する枠を更に備える請求項２に記載のリュックサック。
【請求項４】
前記背面部が全てメッシュで形成されていることを特徴とする請求項１、２又は３に記載のリュックサック。
【請求項５】
前記仕切り部が全てメッシュで形成されていることを特徴とする請求項１から４のいずれかに記載のリュックサック。
【請求項６】
前記背面部の内側に留め具が設けられていることを特徴とする請求項１から５のいずれかに記載のリュックサック。
【請求項７】
前記回転翼に軸部が設けられ、前記軸部が前記留め具で固定されていることを特徴とする請求項６に記載のリュックサック。
【考案の詳細な説明】
【技術分野】
【０００１】
本発明はリュックサックに関し、特に、回転翼を内蔵することができるリュックサックに関する。
【背景技術】
【０００２】
近年、リュックサックの用途は多様化してきており、登山や旅行に限られず、ランニング、ハイキングを楽しむ者や、学生や一般人の間でもファッションアイテムとして流行している。そこで、夏場にリュックサックを使用するときには、熱中症の対策をするとともに、快適な使用環境を提供するのが望まれる。
【０００３】
一方、建築現場、道路工事など冷房設備のない現場の作業員は、夏季にいわゆる空調服を着用することがある。ここで、空調服とは、回転翼が内蔵されている作業着であるが、通常、一対の回転翼が作業服に装着されており、作業服の外部から内部に強制的に空気を流入させることができる。典型的には、一対の回転翼が、両側の脇腹付近に配置されている。
【０００４】
空調服は、現場における安全性を考慮して、典型的には長袖のブルゾンとなっている。半袖のときには、前腕などが露出するので、前腕の皮膚表面に擦り傷などの外傷を被るリスクがあるので、長袖となっている。また、裾がヒラヒラしていると、裾が機械などに巻き込まれるリスクがあるので、裾をゴムなどで絞って、安全性を向上している。
【０００５】
これに対して、本発明は、空調服、ブルゾンのような衣類を対象としているのでなく、ランニングバッグなどのリュックサックを対象としている。
【考案の概要】
【考案が解決しようとする課題】
【０００６】
本件考案者は、空調服を参考として、リュックサックに回転翼を適用して、回転翼が身体を空冷することができないのか検討した。
【０００７】
ところで、リュックサックの本来の用途は、荷物をリュックサックに詰めるとともに、人間がリュックサックを背中に背負うことである。リュックサックを構成する布地に回転翼を縫い込み、布地と回転翼を一体化させたとき、回転翼に流入する空気、及び、回転翼から流出する空気、特に回転翼に流入する空気をどうするかという課題が発生する。
【０００８】
また、リュックサックの布地に回転翼を配置する位置によっては、リュックサックに詰め込む荷物が回転翼界隈の空気の移動を妨げる可能性もある。
【課題を解決するための手段】
【０００９】
そこで、回転翼から流出する空気が人体に直接、当たるとともに、回転翼に流入する空気が外気から円滑に供給することができる形状、構造について、鋭意、検討した結果、本考案は要部にメッシュ生地を採用して、空気がメッシュ生地を通過できるようにした。ここで、メッシュ生地とは、網目状に編まれた生地を意味する。
【００１０】
本考案の一実施形態は、前面部と、背面部と、前記背面部に接続する一対の肩ストラップとを備えたリュックサックにおいて、前記前面部と前記背面部との間に仕切り部が設けられ、前記リュックサックの内部空間が仕切り部により２つに分けられており、前記前面部の少なくとも一部、前記背面部の少なくとも一部、及び、前記仕切り部の少なくとも一部がメッシュで形成されており、リュックサックの外部にある大気が、前記前面部から前記仕切り部を経由して、前記背面部に流れることができることを特徴とするリュックサックを提供する。
【００１１】
本考案において、前記背面部と前記仕切り部とがポケットを形成しており、このポケット内部に回転翼が配置されていることが望ましい。
【００１２】
また、前記回転翼を内蔵する枠を更に備えることが望ましい。
【００１３】
更に、前記背面部が全てメッシュで形成されていてもよい。同様に、前記仕切り部が全てメッシュで形成されていてもよい。
【００１４】
更にまた、前記背面部の内側に留め具が設けられていることが望ましい。前記回転翼に軸部が設けられ、前記軸部が前記留め具で固定されていてもよい。
【考案の効果】
【００１５】
回転翼から流出する空気が使用者の人体を冷却することができ、使用者は快適にリュックサックを使用することができる。
【００１６】
回転翼は、いわゆる小型ファンの主要部であるが、回転翼ないし小型ファンはリュックサックに着脱可能である。夏のように暑いときには、リュックサックのポケット内部に回転翼を配置することができる一方、冬のように暑くないときには、リュックサックに回転翼を配置しないこともできる。
【図面の簡単な説明】
【００１７】
【図１】リュックサックの説明図である。
【００１８】
【図２】リュックサックの正面図である。
【００１９】
【図３】リュックサックの背面図である。
【００２０】
【図４】リュックサックの平面図である。
【００２１】
【図５】リュックサックの使用図である。
【００２２】
【図６】背面部の説明図である。
【００２３】
【図７】背面部の使用図である。
【００２４】
【図８】リュックサックの使用図である。
【考案を実施するための形態】
【００２５】
リュックサックは、背嚢ともいい、内部に荷物を詰めて、二足歩行する生物又はロボットの背中に背負うことができる物品である。リュックサックの用途は、登山に限定されるものでもないし、旅行に限定されるものではない。オシャレな女性がハンドバッグの代わりに、都会で使用するようなリュックサックも販売されている。高校生、大学生などがリュックサックに教科書、ノートなどを詰めて、通学することもある。
【００２６】
リュックサックは、ランニングバック、デイパック、バックパックなどを包含する。ここで、ランニングバックは、ランニング、ジョギングなどの用途に適したリュックサックであり、デイパックは一日分前後の荷物に対応したサイズとなっているリュックサックである。バックパックは登山に用いることができるが、登山以外の旅行にも用いることができる。
【００２７】
図１及び図２で、リュックサック１０は前面部１２と背面部２０とがある。前面部１２及び背面部２０が袋構造を形成している。チャック１８を開閉することにより、リュックサックの内部に荷物を詰めることができる。また、チャック１８が荷物を詰めたり、取り出す唯一の手段でなく、リュックサックの上部から、リュックサックの内部に荷物を詰めたり、取り出すこともできる。
【００２８】
前面部１２にはメッシュ１４、１６が形成されており、メッシュ１４、１６を介して、リュックサック１０の外側にある外気と、リュックサック１０の内部空間と連通している。図１及び図２に示す実施形態では、前面部１２の一部にメッシュが用いられているが、別個の実施態様では前面部のほとんどがメッシュうであってもよいし、前面部のすべてがメッシュであってもよい。
【００２９】
前面部１２の上部には輪１９が設けられており、図示していないフックに輪１９をかけることで、リュックサック１０を吊り下げることができる。
【００３０】
背面部２０には肩ストラップ３２、４２が接続している。肩ストラップ３２は、ベルトストラップ３８と接続しており、ベルトストラップ３８が更に前面部１２の底部に接続している。同様に、肩ストラップ４２は、ベルトストラップ４８と接続しており、ベルトストラップ４８が更に前面部１２の底部に接続している。更に、肩ストラップ３２に端部ストラップ３６が接続しており、同様に、肩ストラップ４２に端部ストラップ４６が接続している。
【００３１】
図３に示すように、背面部２０がメッシュで形成されている。図３では、背面部２０の全体がメッシュとなっているが、この変形例として、背面部の一部がメッシュとなっている一方、背面部の他の部分が通常の布地となっていてもよい。
【００３２】
図３では、肩ストラップ３２に更にサイドストラップ３４が接続している。同様に、肩ストラップ４２に更にサイドストラップ４４が接続している。サイドストラップ３４とサイドストラップ４４は互いに着脱可能となっている。
【００３３】
なお、図１、図２及び図３に示す実施形態では、前面部１２と背面部２０が互いに接続している。しかしながら、この実施形態を改変した実施形態としては、前面部と背面部との間に側面部を設け、この側面部により内部空間の体積を増大させるとともに、リュックサックの内部に詰めることができる荷物を増加することができる。
【００３４】
図４は正面図であり、リュックサックの内部に荷物を収納するときの使用図でもある。前面部１２と背面部２０の間に仕切り部２６が設けられており、仕切り部２６はメッシュで構成されている。これに伴って、背面部２０と仕切り部２６がポケットを形成しており、このポケットに小型ファン６０を内蔵、収納することができる。また、仕切り部２６と前面部１２とが袋構造をしており、この袋内部に荷物を収納することができる。換言すると、前面部１２と背面部２０で構成される内部空間は仕切り部２６で二つに分割されており、背面部２０と区切り部２６で形成される空間をポケットと命名している。
【００３５】
図５は、本考案のリュックサックが使用されている状態を示す。小型ファン６０が、リュックサック１０の内部、特にポケット内部に収納されている。背面部２０がメッシュで構成されているので、メッシュの隙間から小型ファンを目視することができる。
【００３６】
図６は、背面部を示す分解図である。図６で背面部２０は、リュックサックの内側、内部となる面を示している。背面部２０には、留め具５２、５４が設けられている。
【００３７】
図７は、図６の分解図が使用されているときを示す。小型ファン６０は、回転翼と、回転翼を内蔵する枠６２と、枠６２に接続する軸部６４とを備える。枠６２の内部で回転翼が回転するので、枠が安全性を確保することができる。回転翼も枠６２も軸部６４もプラスチックで形成されていることが望ましい。軽量となるので、形態性に優れる。
【００３８】
小型ファン６０の軸部６４は、留め具５２、及び、留め具５４により背面部２０に保持される。小型ファンの軸部６４は、図７に示すように双方の留め具５２、５４で保持するのが望ましいが、一方の留め具で保持してもよい。
【００３９】
図８は、リュックサックの使用状態を示す。ファスナー１８を開けて、スマホ７０をリュックサック１０の内部に詰める段階を示す。別途、リュックサック１０のポケットに小型ファン５０が内蔵されているのだが、この小型ファンが前面部１２のメッシュの隙間から見えている。
【符号の説明】
【００４０】
１０  リュックサック 
１２  前面部
１４  メッシュ
１６  メッシュ
１８  ファスナー
１９  輪
２０  背面部
２６  仕切り部
３２  肩ストラップ
３４  サイドストラップ
３６  端部ストラップ
３８  ベルトストラップ
４２  肩ストラップ
４４  サイドストラップ
４６  端部ストラップ
４８  ベルトストラップ
５０  背面部
５２  留め具
５４  留め具
６０  小型ファン
６２  回転翼
６４  軸部
７０  スマホ
【図１】
0003231665.tif 000003
【図２】
0003231665.tif 000004
【図３】
0003231665.tif 000005
【図４】
0003231665.tif 000006
【図５】
0003231665.tif 000007
【図６】
0003231665.tif 000008
【図７】
0003231665.tif 000009
【図８】
0003231665.tif 000010
【手続補正書】
【提出日】令和3年2月15日(2021.2.15)
【手続補正１】
【補正対象書類名】実用新案登録請求の範囲
【補正対象項目名】請求項７
【補正方法】変更
【補正の内容】
【請求項７】
前記背面部と前記仕切り部とがポケットを形成しており、このポケット内部に回転翼が配置されており、前記回転翼に軸部が設けられ、前記軸部が前記留め具で固定されていることを特徴とする請求項６に記載のリュックサック。